【手続補正書】
【提出日】平成17年12月9日(2005.12.9)
【手続補正１】
【補正対象書類名】明細書
【補正対象項目名】発明の名称
【補正方法】変更
【補正の内容】
【発明の名称】光ディスク用信号処理装置および光ディスク装置
【手続補正２】
【補正対象書類名】明細書
【補正対象項目名】特許請求の範囲
【補正方法】変更
【補正の内容】
【特許請求の範囲】
【請求項１】  所定の周期によってウォブリングして形成されたランドトラックにランドプリピットが形成された光ディスクによって反射された反射光に基づいて、フォトディテクタがプッシュプル法に従って生成した一対の差分信号が入力され、前記一対の差分信号に基づいて信号処理を行なう光ディスク用信号処理装置であって、
前記フォトディテクタによって生成された前記一対の差分信号に基づいて第１ラジアルプッシュプル信号を検出する第１プッシュプル信号検出回路と、
前記第１プッシュプル信号検出回路によって検出された前記第１ラジアルプッシュプル信号に基づいてウォブル信号を検出するウォブル検出回路と、
前記フォトディテクタによって生成された前記一対の差分信号に基づいて第２ラジアルプッシュプル信号を検出する第２プッシュプル信号検出回路と、
前記第２プッシュプル信号検出回路によって検出された前記第２ラジアルプッシュプル信号に基づいてランドプリピット信号を検出するプリピット検出回路とを具備することを特徴とする光ディスク用信号処理装置。
【請求項２】  前記第２プッシュプル信号検出回路は、前記フォトディテクタによって生成された前記一対の差分信号の一方の振幅を調整する第１ＡＧＣ回路と、
前記フォトディテクタによって生成された前記一対の差分信号の他方の振幅を調整する第２ＡＧＣ回路と、
前記第１ＡＧＣ回路によって振幅を調整された前記一対の差分信号の前記一方と前記第２ＡＧＣ回路によって振幅を調整された前記一対の差分信号の前記他方との間の差を検出する差動回路とを有している、請求項１記載の光ディスク用信号処理装置。
【請求項３】  前記第１ＡＧＣ回路と前記第２ＡＧＣ回路とは、前記一対の差分信号のいずれかをゲイン制御信号に基づいて増幅する可変ゲイン増幅器と、
前記可変ゲイン増幅器によって増幅された前記一対の差分信号のいずれかをサンプルホールド制御信号に応じてホールドして出力するサンプルホールド回路と、
前記サンプルホールド回路の出力からＲＦ信号成分を抽出して出力するハイパスフィルタと、
前記ハイパスフィルタの出力のエンベロープ波形を検出して出力するエンベロープ検出回路と、
前記エンベロープ検出回路の出力を平滑化するローパスフィルタと、
前記ローパスフィルタの出力電圧と所定の基準電圧との間の差を出力する差動回路と、
前記差動回路の出力を増幅して前記ゲイン制御信号として前記可変ゲイン増幅器へ出力する増幅器とをそれぞれ有している、請求項２記載の光ディスク用信号処理装置。
【請求項４】  前記第１ＡＧＣ回路と前記第２ＡＧＣ回路とは、前記一対の差分信号のいずれかをゲイン制御信号に基づいて増幅する可変ゲイン増幅器と、
前記可変ゲイン増幅器によって増幅された前記一対の差分信号のいずれかをサンプルホールド制御信号に応じてホールドして出力するサンプルホールド回路と、
前記サンプルホールド回路の出力からＲＦ信号成分を抽出して出力するハイパスフィルタと、
前記ハイパスフィルタの出力のエンベロープ波形を検出して出力するエンベロープ検出回路と、
前記エンベロープ検出回路の出力と所定の基準電圧との間の差を出力する差動回路と、
前記差動回路の出力を増幅して前記ゲイン制御信号として前記可変ゲイン増幅器へ出力する増幅器とをそれぞれ有している、請求項２記載の光ディスク用信号処理装置。
【請求項５】  前記第１ＡＧＣ回路と前記第２ＡＧＣ回路とは、前記一対の差分信号のいずれかをゲイン制御信号に基づいて増幅する可変ゲイン増幅器と、
前記可変ゲイン増幅器によって増幅された前記一対の差分信号のいずれかをサンプルホールド制御信号に応じてホールドして出力するサンプルホールド回路と、
前記サンプルホールド回路の出力からＲＦ信号成分を抽出して出力するハイパスフィルタと、
前記ハイパスフィルタの出力を整流して出力する全波整流回路と、
前記全波整流回路の出力を平滑化して出力するローパスフィルタと、
前記ローパスフィルタの出力と所定の基準電圧との間の差を出力する差動回路と、
前記差動回路の出力を増幅して前記ゲイン制御信号として前記可変ゲイン増幅器へ出力する増幅器とをそれぞれ有している、請求項２記載の光ディスク用信号処理装置。
【請求項６】  前記第１ＡＧＣ回路と前記第２ＡＧＣ回路とは、前記一対の差分信号のいずれかをゲイン制御信号に基づいて増幅する可変ゲイン増幅器と、
前記可変ゲイン増幅器によって増幅された前記一対の差分信号のいずれかをサンプルホールド制御信号に応じてホールドして出力するサンプルホールド回路と、
前記サンプルホールド回路の出力からＲＦ信号成分を抽出して出力するハイパスフィルタと、
前記ハイパスフィルタの出力を整流して出力する半波整流回路と、
前記半波整流回路の出力のエンベロープ波形を検出して出力するエンベロープ検出回路と、
前記エンベロープ検出回路の出力を平滑化して出力するローパスフィルタと、
前記ローパスフィルタの出力と所定の基準電圧との間の差を出力する差動回路と、
前記差動回路の出力を増幅して前記ゲイン制御信号として前記可変ゲイン増幅器へ出力する増幅器とをそれぞれ有している、請求項２記載の光ディスク用信号処理装置。
【請求項７】  前記基準電圧は、前記一対の差分信号の一方の電圧と前記一対の差分信号の他方の電圧との平均電圧になっている、請求項３ないし請求項６記載の光ディスク用信号処理装置。
【請求項８】  前記第１ＡＧＣ回路は、前記一対の差分信号の一方を第１ゲイン制御信号に基づいて増幅する第１可変ゲイン増幅器と、
前記可変ゲイン増幅器によって増幅された前記一対の差分信号の一方をサンプルホールド制御信号に応じてホールドして出力する第１サンプルホールド回路と、
前記第１サンプルホールド回路の出力からＲＦ信号成分を抽出して出力する第１ハイパスフィルタと、
前記第１ハイパスフィルタの出力のエンベロープ波形を検出して出力する第１エンベロープ検出回路と、
前記第１エンベロープ検出回路の出力におけるピークレベルを検波して出力するピーク検波回路と、
前記ピーク検波回路の出力と所定の第１基準電圧との間の差を出力する第１差動回路と、
前記第１差動回路の出力を増幅して前記第１ゲイン制御信号として前記第１可変ゲイン増幅器へ出力する第１増幅器とを有しており、
前記第２ＡＧＣ回路は、前記一対の差分信号の他方を第２ゲイン制御信号に基づいて増幅する第２可変ゲイン増幅器と、
前記第２可変ゲイン増幅器によって増幅された前記一対の差分信号の他方を前記サンプルホールド制御信号に応じてホールドして出力する第２サンプルホールド回路と、
前記第２サンプルホールド回路の出力からＲＦ信号成分を抽出して出力する第２ハイパスフィルタと、
前記第２ハイパスフィルタの出力のエンベロープ波形を検出して出力する第２エンベロープ検出回路と、
前記第２エンベロープ検出回路の出力におけるボトムレベルを検波して出力するボトム検波回路と、
前記ボトム検波回路の出力と所定の第２基準電圧との間の差を出力する第２差動回路と、
前記第２差動回路の出力を増幅して前記第２ゲイン制御信号として前記第２可変ゲイン増幅器へ出力する第２増幅器とを有している、請求項２記載の光ディスク用信号処理装置。
【請求項９】  前記第１基準電圧と前記第２基準電圧とは、互いに等しくなっている、請求項８記載の光ディスク用信号処理装置。
【請求項１０】  前記第１基準電圧と前記第２基準電圧とは、前記一対の差分信号の一方の電圧と前記一対の差分信号の他方の電圧との平均電圧になっている、請求項８記載の光ディスク用信号処理装置。
【請求項１１】  前記ウォブル検出回路によって検出された前記ウォブル信号と前記プリピット検出回路によって検出された前記ランドプリピット信号とに基づいて、前記フォトディテクタによって受光された前記反射光の前記光ディスク上における位置を表すアドレス情報を検出するアドレス検出器と、
前記ウォブル信号と前記ランドプリピット信号とに基づいて、前記光ディスクにデータを記録するためのクロック信号を生成するＰＬＬとをさらに具備している、請求項１記載の光ディスク用信号処理装置。
【請求項１２】  請求項１から１１のいずれかに記載の光ディスク用信号処理装置と、前記フォトディテクタとを備えたことを特徴とする光ディスク装置。
【手続補正３】
【補正対象書類名】明細書
【補正対象項目名】００５２
【補正方法】変更
【補正の内容】
【００５２】
【課題を解決するための手段】
本発明に係る光ディスク用信号処理装置は、所定の周期によってウォブリングして形成されたランドトラックにランドプリピットが形成された光ディスクによって反射された反射光に基づいて、フォトディテクタがプッシュプル法に従って生成した一対の差分信号が入力され、前記一対の差分信号に基づいて信号処理を行なう光ディスク用信号処理装置であって、前記フォトディテクタによって生成された前記一対の差分信号に基づいて第１ラジアルプッシュプル信号を検出する第１プッシュプル信号検出回路と、前記第１プッシュプル信号検出回路によって検出された前記第１ラジアルプッシュプル信号に基づいてウォブル信号を検出するウォブル検出回路と、前記フォトディテクタによって生成された前記一対の差分信号に基づいて第２ラジアルプッシュプル信号を検出する第２プッシュプル信号検出回路と、前記第２プッシュプル信号検出回路によって検出された前記第２ラジアルプッシュプル信号に基づいてランドプリピット信号を検出するプリピット検出回路とを具備することを特徴とする。
本発明に係る光ディスク装置は、前記本発明に係る光ディスク用信号処理装置と、前記フォトディテクタとを備えたことを特徴とする。
【手続補正４】
【補正対象書類名】明細書
【補正対象項目名】００５３
【補正方法】変更
【補正の内容】
【００５３】
【発明の実施の形態】
本実施の形態に係る光ディスク用信号処理装置においては、第１プッシュプル信号検出回路が、フォトディテクタによって生成された一対の差分信号に基づいて第１ラジアルプッシュプル信号を検出し、第１プッシュプル信号検出回路によって検出された第１ラジアルプッシュプル信号に基づいてウォブル検出回路がウォブル信号を検出し、第２プッシュプル信号検出回路が、フォトディテクタによって生成された一対の差分信号に基づいて第２ラジアルプッシュプル信号を検出し、第２プッシュプル信号検出回路によって検出された第２ラジアルプッシュプル信号に基づいてプリピット検出回路がランドプリピット信号を検出する。
【手続補正５】
【補正対象書類名】明細書
【補正対象項目名】００５６
【補正方法】変更
【補正の内容】
【００５６】
前記第１ＡＧＣ回路と前記第２ＡＧＣ回路とは、前記一対の差分信号のいずれかをゲイン制御信号に基づいて増幅する可変ゲイン増幅器と、前記可変ゲイン増幅器によって増幅された前記一対の差分信号のいずれかをサンプルホールド制御信号に応じてホールドして出力するサンプルホールド回路と、前記サンプルホールド回路の出力からＲＦ信号成分を抽出して出力するハイパスフィルタと、前記ハイパスフィルタの出力のエンベロープ波形を検出して出力するエンベロープ検出回路と、前記エンベロープ検出回路の出力を平滑化するローパスフィルタと、前記ローパスフィルタの出力電圧と所定の基準電圧との間の差を出力する差動回路と、前記差動回路の出力を増幅して前記ゲイン制御信号として前記可変ゲイン増幅器へ出力する増幅器とをそれぞれ有していることが好ましい。
【手続補正６】
【補正対象書類名】明細書
【補正対象項目名】００５７
【補正方法】変更
【補正の内容】
【００５７】
前記第１ＡＧＣ回路と前記第２ＡＧＣ回路とは、前記一対の差分信号のいずれかをゲイン制御信号に基づいて増幅する可変ゲイン増幅器と、前記可変ゲイン増幅器によって増幅された前記一対の差分信号のいずれかをサンプルホールド制御信号に応じてホールドして出力するサンプルホールド回路と、前記サンプルホールド回路の出力からＲＦ信号成分を抽出して出力するハイパスフィルタと、前記ハイパスフィルタの出力のエンベロープ波形を検出して出力するエンベロープ検出回路と、前記エンベロープ検出回路の出力と所定の基準電圧との間の差を出力する差動回路と、前記差動回路の出力を増幅して前記ゲイン制御信号として前記可変ゲイン増幅器へ出力する増幅器とをそれぞれ有していることが好ましい。
【手続補正７】
【補正対象書類名】明細書
【補正対象項目名】００５８
【補正方法】変更
【補正の内容】
【００５８】
前記第１ＡＧＣ回路と前記第２ＡＧＣ回路とは、前記一対の差分信号のいずれかをゲイン制御信号に基づいて増幅する可変ゲイン増幅器と、前記可変ゲイン増幅器によって増幅された前記一対の差分信号のいずれかをサンプルホールド制御信号に応じてホールドして出力するサンプルホールド回路と、前記サンプルホールド回路の出力からＲＦ信号成分を抽出して出力するハイパスフィルタと、前記ハイパスフィルタの出力を整流して出力する全波整流回路と、前記全波整流回路の出力を平滑化して出力するローパスフィルタと、前記ローパスフィルタの出力と所定の基準電圧との間の差を出力する差動回路と、前記差動回路の出力を増幅して前記ゲイン制御信号として前記可変ゲイン増幅器へ出力する増幅器とをそれぞれ有していることが好ましい。
【手続補正８】
【補正対象書類名】明細書
【補正対象項目名】００５９
【補正方法】変更
【補正の内容】
【００５９】
前記第１ＡＧＣ回路と前記第２ＡＧＣ回路とは、前記一対の差分信号のいずれかをゲイン制御信号に基づいて増幅する可変ゲイン増幅器と、前記可変ゲイン増幅器によって増幅された前記一対の差分信号のいずれかをサンプルホールド制御信号に応じてホールドして出力するサンプルホールド回路と、前記サンプルホールド回路の出力からＲＦ信号成分を抽出して出力するハイパスフィルタと、前記ハイパスフィルタの出力を整流して出力する半波整流回路と、前記半波整流回路の出力のエンベロープ波形を検出して出力するエンベロープ検出回路と、前記エンベロープ検出回路の出力を平滑化して出力するローパスフィルタと、前記ローパスフィルタの出力と所定の基準電圧との間の差を出力する差動回路と、前記差動回路の出力を増幅して前記ゲイン制御信号として前記可変ゲイン増幅器へ出力する増幅器とをそれぞれ有していることが好ましい。
【手続補正９】
【補正対象書類名】明細書
【補正対象項目名】００６１
【補正方法】変更
【補正の内容】
【００６１】
前記第１ＡＧＣ回路は、前記一対の差分信号の一方を第１ゲイン制御信号に基づいて増幅する第１可変ゲイン増幅器と、前記可変ゲイン増幅器によって増幅された前記一対の差分信号の一方をサンプルホールド制御信号に応じてホールドして出力する第１サンプルホールド回路と、前記第１サンプルホールド回路の出力からＲＦ信号成分を抽出して出力する第１ハイパスフィルタと、前記第１ハイパスフィルタの出力のエンベロープ波形を検出して出力する第１エンベロープ検出回路と、前記第１エンベロープ検出回路の出力におけるピークレベルを検波して出力するピーク検波回路と、前記ピーク検波回路の出力と所定の第１基準電圧との間の差を出力する第１差動回路と、前記第１差動回路の出力を増幅して前記第１ゲイン制御信号として前記第１可変ゲイン増幅器へ出力する第１増幅器とを有しており、前記第２ＡＧＣ回路は、前記一対の差分信号の他方を第２ゲイン制御信号に基づいて増幅する第２可変ゲイン増幅器と、前記第２可変ゲイン増幅器によって増幅された前記一対の差分信号の他方を前記サンプルホールド制御信号に応じてホールドして出力する第２サンプルホールド回路と、前記第２サンプルホールド回路の出力からＲＦ信号成分を抽出して出力する第２ハイパスフィルタと、前記第２ハイパスフィルタの出力のエンベロープ波形を検出して出力する第２エンベロープ検出回路と、前記第２エンベロープ検出回路の出力におけるボトムレベルを検波して出力するボトム検波回路と、前記ボトム検波回路の出力と所定の第２基準電圧との間の差を出力する第２差動回路と、前記第２差動回路の出力を増幅して前記第２ゲイン制御信号として前記第２可変ゲイン増幅器へ出力する第２増幅器とを有していることが好ましい。